(57)【要約】【課題】ノーマルモードチョークコイルを除去して、フィルタの小型化を図る。【解決手段】ＥＭＩノイズを構成するコモンモードノイズが電源側に伝搬することを抑制するための第１、第２のコモンモードチョークコイルにおける第１のコモンモードチョークコイル３４に両端に突起部が形成された一対の磁脚を有する第１の磁性体コア３８を形成し、第２のコモンモードチョークコイル３５に、第１の磁性体コア３８と同一構成を有し、両端の突起部が第１の磁性体コアの両端の突起部に空隙４２を介して対向するように配設された第２の磁性体コア３９を形成している。  さらに、第１、第２の磁性体コアの空隙を介して対向する各磁脚に巻回された同一相の巻線の巻回方向を逆向きとし、この同一相の巻線で形成される磁気回路の磁束で、ノーマルモードノイズに対する高インピーダンスを得ている。【選択図】      図３
2007235580.tif 000002
【特許請求の範囲】
【請求項１】
単相交流電源と負荷側装置とを結ぶ電路に設けられ、前記負荷側装置で生じる電磁妨害雑音の前記単相交流電源への伝搬を抑制するノイズフィルタにおいて、
両端に突起部が形成された一対の磁脚を有する第１の磁性体コアにおける前記一対の磁脚に第１相の巻線及び第２相の巻線が互いに逆向に巻回された電源側の第１のコモンモードチョークコイルと、
前記第１の磁性体コアと同一構成を有し、両端の突起部が前記第１の磁性体コアの両端の突起部に空隙を介して対向するように配設された第２の磁性体コアの一対の磁脚に、第１相の巻線及び第２相の巻線が互いに逆向に、かつ前記第１のコモンモードチョークコイルの同一相の巻線に対しても逆向になるように巻回された負荷側の第２のコモンモードチョークコイルと、
前記第１、第２のコモンモードチョークコイルにおける少なくとも１つのコモンモードチョークコイルを挟むように電源側端子間及び負荷側端子間に設けられた一対の相間コンデンサと、
前記第２のコモンモードチョークコイルの負荷側端子の各相とアースとの間に設けられた一対の接地コンデンサと、
第１のコモンモードチョークコイルと第２のコモンモードチョークコイルとの接続点における各相とアースとの間に設けられた一対の接地コンデンサと
を備えたことを特徴とするノイズフィルタ。
【請求項２】
単相交流電源と負荷側装置とを結ぶ電路に設けられ、前記負荷側装置で生じる電磁妨害雑音の前記単相交流電源への伝搬を抑制するノイズフィルタにおいて、
両端に突起部が形成された一対の磁脚を有する第１の磁性体コアにおける前記一対の磁脚に第１相の巻線及び第２相の巻線が互いに逆向に巻回された電源側の第１のコモンモードチョークコイルと、
前記第１の磁性体コアと同一構成を有し、両端の突起部が前記第１の磁性体コアの両端の突起部に空隙を介して対向するように配設された第２の磁性体コアの一対の磁脚に、第１相の巻線及び第２相の巻線が互いに逆向に、かつ前記第１のコモンモードチョークコイルの同一相の巻線に対しても逆向になるように巻回された負荷側の第２のコモンモードチョークコイルと、
前記第１、第２のコモンモードチョークコイルにおける少なくとも１つのコモンモードチョークコイルを挟むように電源側端子間及び負荷側端子間に設けられた一対の相間コンデンサと、
前記第２のコモンモードチョークコイルの負荷側端子の一方の相とアースとの間に設けられた接地コンデンサと、
第１のコモンモードチョークコイルと第２のコモンモードチョークコイルとの接続点における他方の相とアースとの間に設けられた接地コンデンサと
を備えたことを特徴とするノイズフィルタ。
【請求項３】
単相交流電源と負荷側装置とを結ぶ電路に設けられ、前記負荷側装置で生じる電磁妨害雑音の前記単相交流電源への伝搬を抑制するノイズフィルタにおいて、
両端に突起部が形成された一対の磁脚を有する第１の磁性体コアにおける前記一対の磁脚に第１相の巻線及び第２相の巻線が互いに逆向に巻回された電源側の第１のコモンモードチョークコイルと、
前記第１の磁性体コアと同一構成を有し、両端の突起部が前記第１の磁性体コアの両端の突起部に空隙を介して対向するように配設された第２の磁性体コアの一対の磁脚に、第１相の巻線及び第２相の巻線が互いに逆向に、かつ前記第１のコモンモードチョークコイルの同一相の巻線に対しても逆向になるように巻回された負荷側の第２のコモンモードチョークコイルと、
前記第１、第２のコモンモードチョークコイルにおける少なくとも１つのコモンモードチョークコイルを挟むように電源側端子間及び負荷側端子間に設けられた一対の相間コンデンサと、
前記第２のコモンモードチョークコイルの負荷側端子の一方の相とアースとの間に設けられた接地コンデンサと、
第１のコモンモードチョークコイルと第２のコモンモードチョークコイルとの接続点における前記負荷側端子と同一相とアースとの間に設けられた接地コンデンサと
を備えたことを特徴とするノイズフィルタ。
【請求項４】
前記各接地コンデンサの各接地側端子と前記アースとの間に介挿された耐圧付加コンデンサとを備えたことを特徴とする請求項２又は３記載のノイズフィルタ。
【請求項５】
単相交流電源と負荷側装置とを結ぶ電路に設けられ、前記負荷側装置で生じる電磁妨害雑音の前記単相交流電源への伝搬を抑制するノイズフィルタにおいて、
両端に突起部が形成された一対の磁脚を有する第１の磁性体コアにおける前記一対の磁脚に第１相の巻線及び第２相の巻線が互いに逆向に巻回された電源側の第１のコモンモードチョークコイルと、
前記第１の磁性体コアと同一構成を有し、両端の突起部が前記第１の磁性体コアの両端の突起部に空隙を介して対向するように配設された第２の磁性体コアの一対の磁脚に、第１相の巻線及び第２相の巻線が互いに逆向に、かつ前記第１のコモンモードチョークコイルの同一相の巻線に対しても逆向になるように巻回された負荷側の第２のコモンモードチョークコイルと、
前記第１、第２のコモンモードチョークコイルにおける少なくとも１つのコモンモードチョークコイルを挟むように電源側端子間及び負荷側端子間に設けられた一対の相間コンデンサと、
前記第２のコモンモードチョークコイルの負荷側端子の一方の相に一端が接続された相間コンデンサと、
第１のコモンモードチョークコイルと第２のコモンモードチョークコイルとの接続点における他方の相に一端が接続された相間コンデンサと、
前記一端が各相に接続された各相間コンデンサの各他端と前記アースとの間に介挿された相間コンデンサと
を備えたことを特徴とするノイズフィルタ。
【請求項６】
単相交流電源と負荷側装置とを結ぶ電路に設けられ、前記負荷側装置で生じる電磁妨害雑音の前記単相交流電源への伝搬を抑制するノイズフィルタにおいて、
両端に突起部が形成された一対の磁脚を有する第１の磁性体コアにおける前記一対の磁脚に第１相の巻線及び第２相の巻線が互いに逆向に巻回された電源側の第１のコモンモードチョークコイルと、
前記第１の磁性体コアと同一構成を有し、両端の突起部が前記第１の磁性体コアの両端の突起部に空隙を介して対向するように配設された第２の磁性体コアの一対の磁脚に、第１相の巻線及び第２相の巻線が互いに逆向に、かつ前記第１のコモンモードチョークコイルの同一相の巻線に対しても逆向になるように巻回された負荷側の第２のコモンモードチョークコイルと、
前記第１、第２のコモンモードチョークコイルにおける少なくとも１つのコモンモードチョークコイルを挟むように電源側端子間及び負荷側端子間に設けられた一対の相間コンデンサと、
前記第２のコモンモードチョークコイルの負荷側端子の一方の相に一端が接続された相間コンデンサと、
第１のコモンモードチョークコイルと第２のコモンモードチョークコイルとの接続点における前記負荷側端子と同一相に一端が接続された相間コンデンサと、
前記一端が各相に接続された各相間コンデンサの各他端と前記アースとの間に介挿された接地コンデンサと
を備えたことを特徴とするノイズフィルタ。
【請求項７】
直流電源と負荷側装置とを結ぶ電路に設けられ、前記負荷側装置で生じる電磁妨害雑音の前記直流電源への伝搬を抑制するノイズフィルタにおいて、
両端に突起部が形成された一対の磁脚を有する第１の磁性体コアにおける前記一対の磁脚に第１相の巻線及び第２相の巻線が互いに逆向に巻回された電源側の第１のコモンモードチョークコイルと、
前記第１の磁性体コアと同一構成を有し、両端の突起部が前記第１の磁性体コアの両端の突起部に空隙を介して対向するように配設された第２の磁性体コアの一対の磁脚に、第１相の巻線及び第２相の巻線が互いに逆向に、かつ前記第１のコモンモードチョークコイルの同一相の巻線に対しても逆向になるように巻回された負荷側の第２のコモンモードチョークコイルと、
前記第１の磁性体コアと前記第２の磁性体コアとの空隙に介挿された強磁性体と、
前記第１、第２のコモンモードチョークコイルにおける少なくとも１つのコモンモードチョークコイルを挟むように電源側端子間及び負荷側端子間に設けられた一対の相間コンデンサと、
前記第２のコモンモードチョークコイルの負荷側端子の一方の相とアースとの間に設けられた接地コンデンサと、
前記負荷側端子と同一相に一端が接続された第１のコモンモードチョークコイルと第２のコモンモードチョークコイルとの接続点における一方の相とアースとの間に設けられた接地コンデンサと
を備えたことを特徴とするノイズフィルタ。
【発明の詳細な説明】
【技術分野】
【０００１】
本発明は、電源と負荷側装置とを結ぶ電路に設けられ、負荷側装置で生じる電磁妨害雑音（electro-magnetic interference noise  以下、ＥＭＩノイズと略記する）の電源側への伝搬を抑制するノイズフィルタに関する。
【背景技術】
【０００２】
例えば交流で駆動される負荷としてのモータの回転動作を高い精度で制御するためには、交流電源からモータへ直接交流を印加するのではなく、交流電源から出力された交流をコンバータ（整流器）で一旦直流に変換して、この直流をインバータで交流に再度変換してモータに供給する。そして、インバータを構成する各スイッチング素子をＰＷＭ（パルス幅変調）信号で高速スイッチング制御することにより、モータに印加する交流の周波数、電圧を変化させてモータの回転制御を行う。
【０００３】
このようなコンバータやインバータを含む電力変換装置においては、インバータに高速スイッチング動作に伴うＥＭＩノイズが発生する。このＥＭＩノイズのうち、電源ラインやアースを流れる伝導ノイズは例えば電源を共通とする他の機器に伝わって誤動作を起こすなど悪影響を及ぼす可能性がある。
【０００４】
この伝導ノイズには、例えば、交流電源が単相交流電源の場合、交流電源と電力変換装置とを接続するＲ相とＳ相とからなる電路とアース間を伝搬するコモンモードノイズと、電路のＲ相・Ｓ相間を伝搬するノーマルモードノイズとの２種類のノイズが含まれており、これらの対策には一般的にノイズフィルタが用いられる（例えば、非特許文献１参照）。
【０００５】
図１３の電力供給システムに示すように、例えば相間の定格電圧２００Ｖの単相交流電源１とモータ等の負荷２が接続された電力変換装置３とを結ぶＲ相とＳ相とからなる電路４に、ＥＭＩノイズを抑制するノイズフィルタ５が設けられている。電力変換装置３においては、前述したように、ノイズフィルタ５を経由した交流をコンバータ６一旦直流に変換して、平滑コンデンサ７でリップル成分を除去し、この直流をインバータ８で交流に変換して負荷２に供給する。
【０００６】
図１４はノイズフィルタ５の回路構成図である。Ｒ相、Ｓ相の電源側端子１０ａ、１０ｂとＲ相、Ｓ相の負荷側端子１１ａ、１１ｂを接続する線１２ａ、１２ｂには、２つのコモンモードチョークコイル１３、１４が直列介挿されている。各コモンモードチョークコイル１３、１４においては、図１５に示すように、環状コア１５、１６に、Ｒ相、Ｓ相の各巻線１７ａ、１８ａ、１７ｂ、１８ｂが巻回されている。
【０００７】
さらに、コモンモードチョークコイル１３の電源側の線１２ａ、１２ｂにはノーマルモードチョークコイル１９ａ、１９ｂが介挿されている。電源側端子１０ａ、１０ｂ間には相間コンデンサ２０が設けられ、負荷側端子１１ａ、１１ｂ間にも相間コンデンサ２１が設けられている。各相間コンデンサ２０、２１は、相間の定格電圧２００Ｖに対して耐電圧、耐電流の安全規格を満足する仕様を有した相間コンデンサである。
【０００８】
さらに、コモンモードチョークコイル１３、１４の接続点のＲ相の線１２ａとアース２２間に接地コンデンサ２３ａが設けられ、接続点のＳ相の線１２ｂとアース２２間に接地コンデンサ２３ｂが設けられている。また、Ｒ相、Ｓ相の負荷側端子１１ａ、１１ｂとアース２２間に接地コンデンサ２４ａ、２４ｂが設けられている。各接地コンデンサ２３ａ、２３ｂ、２３ａ、２３ｂは、定格電圧２００Ｖに対して相−アース間に対して耐電圧、耐電流の安全規格を満足する仕様を有した接地コンデンサである。
【０００９】
なお、アース２２は負荷２、電力変換装置３の筐体、中性点、グランド（地中）の電位である。
【００１０】
このようなノイズフィルタ５において、コモンモードチョークコイル１３、１４はコモンモードノイズに対して高インピーダンスを、また、接地コンデンサ２３ａ、２３ｂ、２４ａ、２４ｂは低インピーダンスを示す。このため、電力変換装置３から単相交流電源１へ流れようとするＥＭＩノイズの線１２ａ、１２ｂとアース２２間を伝搬するコモンモードノイズは、高インピーダンスとなる単相交流電源１側に伝わらず、低インピーダンスの接地コンデンサ２３ａ、２３ｂ、２４ａ、２４ｂをバイパスして電力変換装置３側へ還流する。
【００１１】
一方、電力変換装置３から単相交流電源１へ流れようとするＥＭＩノイズのノーマルモードノイズに対しては、ノーマルモードチョークコイル１９ａ、１９ｂが高インピーダンスに、また相間コンデンサ２１、２０が低インピーダンスとなって、この相間コンデンサ２１、２０をバイパスして、コモンモードノイズの場合と同様、単相交流電源１に伝わらず、電力変換装置３側へ還流する。
【００１２】
なお、特許文献１には、コモンモードノイズ及びノーマルモードノイズの各ノイズ対策を可能とするハイブリッドチョークコイルの技術が開示されている。
【特許文献１】特開２００１―２３０１２０号公報
【非特許文献１】「電気学会技術報告  第５４５号  パワーエレクトロニクス」Ｐ２２、２．３４図  電気学会  半導体電力変換器の電磁波障害協同研究委員会  １９９５年５月
【発明の開示】
【発明が解決しようとする課題】
【００１３】
しかしながら、図１４、図１５に示すノイズフィルタ５においても、まだ解消すべき次のような課題があった。
【００１４】
すなわち、電力変換装置３から発生するＥＭＩノイズのコモンモードノイズとノーマルモードノイズとの２種類のノイズを抑えるためには、それぞれに対応するコモンモードチョークコイル１４、１３と、ノーマルモードチョークコイル１９ａ、１９ｂとが必要となる。したがって、ノイズフィルタが大型化したり、部品点数が増大化する懸念がある。
【００１５】
このような事態を回避する手法として、コモンモードチョークコイル１３の漏れインダクタンスをノーマルモードチョークコイル１９ａ、１９ｂとして代用し、部品点数の削減を図る方法も利用されているが、ノーマルモードノイズに対して十分高いインピーダンスとなる必要な漏れインダクタンスを確保するためには、コモンモードチョークコイル１３のインダクタンスをコモンモードノイズに対して必要なインダクタンス以上に高くしなければならない。したがって、コモンモードチョークコイル１４、１３が大型化し、ノイズフィルタ５を効果的に小型化できない。
【００１６】
本発明は、このような事情に鑑みてなされたもので、コモンモードチョークコイルを大型化することなくノーマルモードチョークコイルを除去でき、部品点数を削減でき、かつ小型化を実現できるノイズフィルタを提供すること目的とする。
【課題を解決するための手段】
【００１７】
上記課題を解消するために、本発明は、単相交流電源と負荷側装置とを結ぶ電路に設けられ、負荷側装置で生じる電磁妨害雑音（ＥＭＩノイズ）の単相交流電源への伝搬を抑制するノイズフィルタにおいて、両端に突起部が形成された一対の磁脚を有する第１の磁性体コアにおける一対の磁脚に第１相の巻線及び第２相の巻線が互いに逆向に巻回された電源側の第１のコモンモードチョークコイルと、第１の磁性体コアと同一構成を有し、両端の突起部が第１の磁性体コアの両端の突起部に空隙を介して対向するように配設された第２の磁性体コアの一対の磁脚に、第１相の巻線及び第２相の巻線が互いに逆向に、かつ前記第１のコモンモードチョークコイルの同一相の巻線に対しても逆向になるように巻回された負荷側の第２のコモンモードチョークコイルと、第１、第２のコモンモードチョークコイルにおける少なくとも１つのコモンモードチョークコイルを挟むように電源側端子間及び負荷側端子間に設けられた一対の相間コンデンサと、第２のコモンモードチョークコイルの負荷側端子の各相とアースとの間に設けられた一対の接地コンデンサと、第１のコモンモードチョークコイルと第２のコモンモードチョークコイルとの接続点における各相とアースとの間に設けられた一対の接地コンデンサとを備えている。
【００１８】
このように構成されたノイズフィルタにおいては、第１のコモンモードチョークコイルの一対の磁脚には第１相、第２相の各巻線が互いに逆向に巻回されているので、第１の磁性体コアと第１相、第２相の各巻線とで磁気回路が形成され、負荷側装置で生じるＥＭＩノイズにおける電路とアース間を伝搬するコモンモードノイズに対して高インピーダンスとなる。同様に、第２のコモンモードチョークコイルにおいても第２の磁性体コアと第１相、第２相の各巻線とで磁気回路が形成され、負荷側装置で生じるＥＭＩノイズにおける電路とアース間を伝搬するコモンモードノイズに対して高インピーダンスとなる。また、各接地コンデンサは低インピーダンスを示す。このため、コモンモードノイズは、高インピーダンスとなる単相交流電源側に伝わらず、低インピーダンスの接地コンデンサをバイパスして負荷側装置へ還流する。
【００１９】
また、第１のコモンモードチョークコイルの第１の磁性体コアの第１相の巻線が巻回された磁脚の両端の突起部と第２のコモンモードチョークコイルの第２の磁性体コアの第１相の巻線が巻回された磁脚の両端の突起部とは空隙を介して対向している。空隙を介して対向する各磁脚は互いに逆方向に磁化されるので、対向する突起部は互いに異なる磁極となる。その結果、第１の磁性体コアと第２の磁性体コアと第１相の各巻線とで磁気回路が形成され、この磁気回路における磁束によるインダクタンスが、負荷側装置で生じるＥＭＩノイズにおける第１相・第２相間を伝搬するノーマルモードノードに対して高インピーダンスとなる。
【００２０】
同様に、第１、第２のコモンモードチョークコイルの第２相の各巻線と、第１の磁性体コアと第２の磁性体コアとで、磁気回路が形成され、この磁気回路における磁束によるインダクタンスが、負荷側装置で生じるＥＭＩノイズにおける第１相・第２相間を伝搬するノーマルモードノイズに対して高インピーダンスとなる。このため、ノーマルモードノイズは、高インピーダンスとなる単相交流電源側に伝わらず、低インピーダンスの相間コンデンサを介して負荷側装置へ還流する。
【００２１】
このように、コモンモードチョークコイルに、本来のコモンモードノイズを抑制する機能の他に、ノーマルモードノイズを抑制する機能を持たせているので、別途、ノーマルモードノイズを抑制するためノーマルモードチョークコイルを設ける必要はない。
【００２２】
また、別の発明は、上述したノイズフィルタにおいて、上記発明における第１のコモンモードチョークコイル、第２のコモンモードチョークコイル、及び一対の相間コンデンサを設けている。
【００２３】
さらに、第２のコモンモードチョークコイルの負荷側端の一方の相とアースとの間に設けられた接地コンデンサと、第１のコモンモードチョークコイルと第２のコモンモードチョークコイルとの接続点における他方の相とアースとの間に設けられた接地コンデンサとを備えている。
【００２４】
このように構成されたノイズフィルタにおいては、各相とアース間に設ける接地コンデンサをそれぞれ１つにしている。この場合、各接地コンデンサの容量を先の発明の接地コンデンサの倍に設定すればよい。
【００２５】
また、別の発明は、上述したノイズフィルタにおいて、上記発明における第１のコモンモードチョークコイル、第２のコモンモードチョークコイル、及び一対の相間コンデンサを設けている。さらに、第２のコモンモードチョークコイルの負荷側端子の一方の相とアースとの間に設けられた接地コンデンサと、第１のコモンモードチョークコイルと第２のコモンモードチョークコイルとの接続点における前記負荷側端子と同一相とアースとの間に設けられた接地コンデンサとを備えている。
【００２６】
このような構成においても、上述した発明と同様の作用効果を得ることが可能である。
【００２７】
また、別の発明は、上述した発明のノイズフィルタにおいて、各接地コンデンサの各接地側端子とアースとの間に介挿された耐圧付加コンデンサとを備えている。
【００２８】
また、別の発明は、上述したノイズフィルタにおいて、上記発明における第１のコモンモードチョークコイル、第２のコモンモードチョークコイル、及び一対の相間コンデンサを設けている。
【００２９】
さらに、第２のコモンモードチョークコイルの負荷側端子の一方の相に一端が接続された相間コンデンサと、第１のコモンモードチョークコイルと第２のコモンモードチョークコイルとの接続点における他方の相に一端が接続された相間コンデンサと、一端が各相に接続された各相間コンデンサの各他端とアースとの間に介挿された相間コンデンサとを備えている。
【００３０】
また、別の発明は、上述したノイズフィルタにおいて、上記発明における第１のコモンモードチョークコイル、第２のコモンモードチョークコイル、及び一対の相間コンデンサを設けている。さらに、第２のコモンモードチョークコイルの負荷側端子の一方の相に一端が接続された相間コンデンサと、第１のコモンモードチョークコイルと第２のコモンモードチョークコイルとの接続点における負荷側端子と同一相に一端が接続された相間コンデンサと、一端が各相に接続された各相間コンデンサの各他端とアースとの間に介挿された接地コンデンサとを設けている。
【００３１】
また、別の発明は、直流電源と負荷側装置とを結ぶ電路に設けられ、負荷側装置で生じる電磁妨害雑音の直流電源への伝搬を抑制するノイズフィルタにおいて、両端に突起部が形成された一対の磁脚を有する第１の磁性体コアにおける一対の磁脚に第１相の巻線及び第２相の巻線が互いに逆向に巻回された電源側の第１のコモンモードチョークコイルと、第１の磁性体コアと同一構成を有し、両端の突起部が前記第１の磁性体コアの両端の突起部に空隙を介して対向するように配設された第２の磁性体コアの一対の磁脚に、第１相の巻線及び第２相の巻線が互いに逆向に、かつ第１のコモンモードチョークコイルの同一相の巻線に対しても逆向になるように巻回された負荷側の第２のコモンモードチョークコイルと、第１の磁性体コアと第２の磁性体コアとの空隙に介挿された強磁性体と、第１、第２のコモンモードチョークコイルにおける少なくとも１つのコモンモードチョークコイルを挟むように電源側端子間及び負荷側端子間に設けられた一対の相間コンデンサと、第２のコモンモードチョークコイルの負荷側端子の一方の相とアースとの間に設けられた接地コンデンサと、負荷側端子と同一相に一端が接続された第１のコモンモードチョークコイルと第２のコモンモードチョークコイルとの接続点における一方の相とアースとの間に設けられた接地コンデンサとを備えている。
【００３２】
このように構成されたノイズフィルタにおいては、第１、第２のコモンモードチョークコイルには直流が流れるので、第１、第２のコモンモードチョークコイルで形成される各磁気回路の磁束には大きな直流磁束成分が重畳するので、各磁性体コアが磁気的飽和を来す可能性がある。そのため、ノーマルモードノイズに対する十分高いインピーダンスを得ることができない。
【００３３】
そこで、第１の磁性体コアと第２の磁性体コアとの空隙に例えば磁石等の強磁性体を介挿することによって、逆方向の直流磁界を印加して、磁気回路の磁束の飽和を抑制している。
【発明の効果】
【００３４】
本発明においては、コモンモードチョークコイルを大型化することなくノーマルモードチョークコイルを除去でき、部品点数を削減でき、かつ小型化を実現できる。
【００３５】
さらに、相間コンデンサ、接地コンデンサを適宜組合せることにより、部品点数をさらに削減でき、かつより一層の小型化を実現できる。
【発明を実施するための最良の形態】
【００３６】
以下、本発明の各実施形態を図面を用いて説明する。
【００３７】
（第１実施形態）
図１は本発明の第１実施形態に係わるノイズフィルタの概略構成を示す回路図である。図１３、図１４に示す従来のノイズフィルタと同一部分には同一符号を付して重複する部分の詳細説明を省略する。
【００３８】
図１において、例えば相間の定格電圧２００Ｖの単相交流電源１と、モータ等の負荷２と電力変換装置３とからなる負荷側装置３３を結ぶ第１相としてのＲ相線３１ａと第２相としてのＳ相線３１ｂに、電力変換装置３で発生して単相交流電源１側へ伝搬するＥＭＩノイズを抑制する第１実施形態のノイズフィルタ３２が設けられている。
【００３９】
この第１実施形態のノイズフィルタ３２内において、Ｒ相線３１ａとＳ相線３１ｂとに第１のコモンモードチョークコイル３４と第２のコモンモードチョークコイル３５とが直列に介挿されている。電源側の第１のコモンモードチョークコイル３４はＲ相巻線３６ａとＳ相巻線３６ｂとで構成され、負荷側の第２のコモンモードチョークコイル３５はＲ相巻線３７ａとＳ相巻線３７ｂとで構成されている。
【００４０】
第１のコモンモードチョークコイル３４の電源側端子３６aa、３６bb間には相間コンデンサ２０が接続される。第２のコモンモードチョークコイル３５の負荷側端子３７aa、３７bb間にも相間コンデンサ２１が接続されている。さらに、第１のコモンモードチョークコイル３４と第２のコモンモードチョークコイル３５のＲ相の接続点４３ａとアース２２とに接地コンデンサ２３ａが設けられ、Ｓ相の接続点４３ｂとアース２２間に接地コンデンサ２３ｂが設けられている。
【００４１】
また、各接地コンデンサ２３ａ、２４ａ、２４ｂは、定格電圧２００Ｖに対して相−アース間に対して２５０〜２７０Ｖの耐電圧、耐電流の安全規格を満足する仕様を有した、同一構成、同一仕様の接地コンデンサである。
【００４２】
各相間コンデンサ２０、２１は相間の定格電圧２００Ｖに対して２５０〜２７０Ｖの耐電圧、耐電流の安全規格を満足する仕様を有した、同一構成、同一仕様の相間コンデンサである。
【００４３】
第１のコモンモードチョークコイル３４と第２のコモンモードチョークコイル３５の具体的構成を図２、図３を用いて説明する。図２は第１のコモンモードチョークコイル３４に組込まれた第１の磁性体コア３８と、第２のコモンモードチョークコイル３５に組込まれた第２の磁性体コア３９とを示す組立斜視図である。
【００４４】
図２（ａ）に示すように、第１の磁性体コア３８には、平行する２本の磁脚３８ａ、３８ｂが形成されており、各磁脚３８ａ、３８ｂの両端には、この磁脚３８ａ、３８ｂと直角方向へ突出する共通の突起部４０ａ、４０ｂが形成されている。同等に、第２の磁性体コア３９には、平行する２本の磁脚３９ａ、３９ｂが形成されており、各磁脚３９ａ、３９ｂの両端には、磁脚３９ａ、３９ｂと直角方向へ突出する共通の突起部４１ａ、４１ｂが形成されている。
【００４５】
そして、図３に示すように、各磁脚３８ａ、３８ｂ、３９ａ、３９ｂにＲ相巻線３６ａ、Ｓ相巻線３６ｂ、Ｒ相巻線３７ａ、Ｓ相巻線３７ｂが巻回された状態で、図２（ｂ）に示すように、第１の磁性体コア３８と第２の磁性体コア３８とは、互いの各突起部４０ａ、４０ｂ、４１ａ、４１ｂが空隙４２を介して対向するように配設される。
【００４６】
図３（ｂ）は第１、第２のコモンモードチョークコイル３４、３５の正面図であり、図３（ｃ）は側面図であり、図３（ａ）は、図３（ｂ）の第１、第２のコモンモードチョークコイル３４、３５のＡ―Ａ’線における断面図である。
【００４７】
図示するように、第１の磁性体コア３８の磁脚３８ａ、３８ｂにはＲ相巻線３６ａ、Ｓ相巻線３６ｂが互いに逆向きに巻回されている。同様に、第２の磁性体コア３９の磁脚３９ａ、３９ｂにはＲ相巻線３７ａ、Ｓ相巻線３７ｂが互いに逆向きに巻回されている。さらに、接続点４３ａで接続されているＲ相巻線３６ａとＲ相巻線３７ａとは互いに逆向きに巻回されている。同様に、接続点４３ｂで接続されているＳ相巻線３６ｂとＳ相巻線３７ｂとは互いに逆向きに巻回されている。
【００４８】
このように組合わされた第１、第２のコモンモードチョークコイル３４、３５においては、第１の磁性体コア３８とＲ相巻線３６ａ、Ｓ相巻線３６ｂとで磁気回路（４４）が形成され、第２の磁性体コア３９とＲ相巻線３７ａ、Ｓ相巻線３７ｂとで図３（ｃ）に破線で示す磁気回路４４が形成される。そして、この磁気回路４４にて磁束φCが生じる。
【００４９】
このように、Ｒ相巻線３６ａとＳ相巻線３６ｂ、及びＲ相巻線３７ａとＳ相巻線３７ｂとで形成される磁気回路４４における磁束によるインダクタンスが、負荷側装置３０で生じるＥＭＩノイズにおけるＲ相線３１ａ、Ｓ相線３１ｂとアース２２間を伝搬するコモンモードノイズに対して高インピーダンスとなる。
【００５０】
さらに、第１の磁性体コア３８のＲ相巻線３６ａが巻回された磁脚３８ａの両端の突起部４０ａ、４０ｂと第２の磁性体コア３９の相巻線３７ａが巻回された磁脚３９ａの両端の突起部４１ａ、４１ｂとは空隙４２を介して対向している。空隙４２を介して対向する各磁脚３８ａ、３９ａは互いに逆方向に磁化されるので、対向する突起部４０ａ、４０ｂと突起部４１ａ、４１ｂとはは互いに異なる磁極となる。その結果、第１の磁性体コア３８の磁脚３８ａと第２の磁性体コア３９の磁脚３９ａとＲ相巻線３６ａ、３７ａとで磁気回路（４５）が形成される。
【００５１】
同様に、第１の磁性体コア３８の磁脚３８ｂと第２の磁性体コア３９の磁脚３９ｂとＳ相巻線３６ｂ、３７ｂとで図３（ｂ）に実線で示す磁気回路４５が形成される。そして、この磁気回路４５にて磁束φnが生じる。
【００５２】
このように、第１、第２の磁性体コア３８、３９に跨る磁気回路４５における磁束φnによるインダクタンスが、負荷側装置３０で生じるＥＭＩノイズにおけるＲ相線３１ａ、Ｓ相線３１ｂ間を伝搬するノーマルモードノイズに対して高インピーダンスとなる。
【００５３】
このように構成された第１実施形態のノイズフィルタ３２においては、負荷側装置３０で生じるＥＭＩノイズにおけるＲ相線３１ａ、Ｓ相線３１ｂとアース２２間を単相交流電源１側へ伝搬するコモンモードノイズは、第１、第２のコモンモードチョークコイル３４、３５にそれぞれＲ相巻線とＳ相巻線に跨って形成される磁気回路４４の磁束φCによるインダクタンスの高インピーダンスのため、高インピーダンスとなる単相交流電源１側に伝わらず、低インピーダンスの各接地コンデンサ２３ａ、２３ｂ、２４ａ、２４ｂをバイパスして負荷側装置３０へ還流する。
【００５４】
また、負荷側装置３０で生じるＥＭＩノイズにおけるＲ相線３１ａ、Ｓ相線３１ｂ間を単相交流電源１側へ伝搬するノーマルモードノイズは、第１、第２の磁性体コア３８、３９に跨って形成された同一相の２つの巻線で形成された磁気回路４５の磁束φnによるインダクタンスの高インピーダンスのため、高インピーダンスとなる単相交流電源１側に伝わらず、低インピーダンスの各相間コンデンサ２１、２０をバイパスして負荷側装置３０へ還流する。
【００５５】
このように、第１、第２のコモンモードチョークコイル３４、３５に、本来のコモンモードノイズを抑制する機能の他に、ノーマルモードノイズを抑制する機能を持たせているので、別途、ノーマルモードノイズを抑制するためにノーマルモードチョークコイルを設ける必要はない。
【００５６】
なお、本発明は上述した第１実施形態のノイズフィルタ３２に限定されるものではない。例えば、電源側端子３６aa、３６bb間に接続された相間コンデンサ２０、又は負荷側端子３７aa、３７bb間に接続された相間コンデンサ２１を、第１、第２のコモンモードチョークコイル３４、３５の接続点４３ａ、４３ｂ間に移動することも可能である。
【００５７】
（第２実施形態）
図４は本発明の第２実施形態に係わるノイズフィルタの概略構成を示す回路図である。図１に示す第１実施形態のノイズフィルタ３２と同一部分には同一符号を付して重複する部分の詳細説明を省略する。
【００５８】
この第２実施形態のノイズフィルタ３２ａにおいては、図１の第１実施形態のノイズフィルタ３２におけるＳ相の中間点４３ｂとアース２２間に設けた接地コンデンサ２３ｂ、及び負荷端子３７aaとアース２２間に設けた接地コンデンサ２４ａとを除去している。
【００５９】
さらに、第１実施形態のノイズフィルタ３２におけるＲ相の中間点４３ａとアース２２間に設けた接地コンデンサ２３ａを容量（コンデンサ容量）が２倍に設定された接地コンデンサ２４Ａに変更している。また、第１実施形態のノイズフィルタ３２における負荷端子３７bbとアース２２間に設けた接地コンデンサ２４ｂを、容量（コンデンサ容量）が２倍に設定された接地コンデンサ２４Ｂに変更している。
【００６０】
その他の構成は、図１に示す第１実施形態のノイズフィルタ３２の構成とほぼ同一である。
【００６１】
このように構成された第２実施形態のノイズフィルタ３２ａにおいては、第１、第２のコモンモードチョークコイル３４、３５は、図１に示す第１実施形態のノイズフィルタ３２における第１、第２のコモンモードチョークコイル３４、３５と同一構成であり、各相間コンデンサ２０、２１も同一構成であるので、負荷側装置３０で生じたＭＥＩノイズのコモンモードノイズ、ノーマルモードノイズは、前述した磁気回路４４、４５の磁束φC、φnによる高インピーダンス化、接地コンデンサ２３Ａ、２４Ｂ、相間コンデンサ２０、２１の存在によって、単相交流電源１側への伝搬が抑制される。
【００６２】
さらに、この第２実施形態のノイズフィルタ３２ａにおいては、負荷側装置３０で生じたＭＥＩノイズのうちのコモンモードノイズにおけるＳ相線３１ｂを伝搬するノイズ成分はそのまま接地コンデンサ２４Ｂを経由してアース２２へ流れ、負荷側装置３０へ還流する。
【００６３】
また、負荷側装置３０で生じたＭＥＩノイズのうちのコモンモードノイズにおけるＲ相線３１ａを伝搬するノイズ成分は相間コンデンサ２１をバイパスして同じく接地コンデンサ２４Ｂへと流れ、単相交流電源１側へのコモンモードノイズの伝搬は抑制される。また、コモンモードノイズにおけるＲ相線３１ａを伝搬するノイズ成分のうちの第２のコモンモードチョークコイル３５のＲ相巻線３７ａを通過した微少のノイズ成分は接続点４３ａから接地コンデンサ２３Ａへと流れる。
【００６４】
このように、接地コンデンサの設置数を図１の第１実施形態のノイズフィルタ３２の半分に減らすことができ、ノイズフィルタ３２ａの部品点数を削減でき、ノイズフィルタ全体を小型軽量にかつ低価格で製造できる。
【００６５】
なお、接地コンデンサ２３Ａ、２４Ｂの容量（コンデンサ容量）を第１実施形態の接地コンデンサ２３ａ、２３ｂ、２４ａ、２４ｂの２倍に設定しているので、ノイズ抑制の能力が低下することはない。
【００６６】
（第３実施形態）
図５は本発明の第３実施形態に係わるノイズフィルタの回路構成図である。図４に示す第２実施形態のノイズフィルタ３２ａと同一部分には同一符号を付して重複する部分の詳細説明を省略する。
【００６７】
この第３実施形態のノイズフィルタ３２ｂにおいては、第１、第２のコモンモードチョークコイル３４、３５のＲ相の接続点４３ａとアース２２間の接地コンデンサ２３Ａを除去して、第１、第２のコモンモードチョークコイル３４、３５のＳ相の接続点４３ｂとアース２２間に、第１実施形態のノイズフィルタ３２における接地コンデンサ２３ｂの倍の容量を有する接地コンデンサ２３Ｂを設けている。すなわち、この第３実施形態のノイズフィルタ３２ｂにおいては、Ｓ相線３１ｂのみに接地コンデンサ２３Ｂ、２４Ｂが接続されている。
【００６８】
その他の構成は、図４に示す第２実施形態のノイズフィルタ３２ａとほぼ同一である。
【００６９】
このように構成された第３実施形態のノイズフィルタ３２ｂにおいては、負荷側装置３０で生じたＭＥＩノイズのうちのコモンモードノイズにおけるＳ相線３１ｂを伝搬するノイズ成分はそのまま接地コンデンサ２４Ｂを経由してアース２２へ流れ、負荷側装置３０へ還流する。また、負荷側装置３０で生じたＭＥＩノイズのうちのコモンモードノイズにおけるＲ相線３１ａを伝搬するノイズ成分は相間コンデンサ２１をバイパスして同じく接地コンデンサ２４Ｂへと流れ、単相交流電源１側へのコモンモードノイズの伝搬は抑制される。また、Ｒ相線３１ａを伝搬するノイズ成分のうちの第２のコモンモードチョークコイル３５のＲ相巻線３７ａを通過した微少のノイズ成分は、第１のコモンモードチョークコイル３４のＲ相巻線３６ａ、相間コンデンサ２０、第１のコモンモードチョークコイル３４のＳ相巻線３６ｂ、接続点４３ｂから接地コンデンサ２３Ｂへと流れる。
【００７０】
このように、第３実施形態のノイズフィルタ３２ｂにおいても、第２実施形態のノイズフィルタ３２ａと同様に、接地コンデンサの設置数を半分に減らすことができ、ノイズフィルタ３２ｂの部品点数を削減でき、ノイズフィルタ全体を小型軽量にかつ低価格で製造できる。
【００７１】
（第４実施形態）
図６は本発明の第４実施形態に係わるノイズフィルタの回路構成図である。図４に示す第２実施形態のノイズフィルタ３２ｂと同一部分には同一符号を付して重複する部分の詳細説明を省略する。
【００７２】
この第４実施形態に係わるノイズフィルタ３２ｃには、定格電圧４００Ｖの単相交流電源１ａから４００Ｖの単相交流が入力される。したがって、第１のコモンモードチョークコイル３４の電源側端子３６aa、３６bb間には、前述した定格電圧２００Ｖに対して耐電圧、耐電流の安全規格を満足する仕様を有した２個の相間コンデンサ２０が直列介挿されている。同様に、第２のコモンモードチョークコイル３５の負荷側端子３７aa、３７bb間には、前述した定格電圧２００Ｖに対して耐電圧、耐電流の安全規格を満足する仕様を有した２個の相間コンデンサ２１が直列介挿されている。
【００７３】
さらに、第１、第２のコモンモードチョークコイル３４、３５のＲ相の接続点４３ａには、前述した倍の容量を有した接地コンデンサ２３Ａの一端が接続され、第２のコモンモードチョークコイル３５のＳ相の負荷側端子３７bbには、前述した２倍の容量を有した接地コンデンサ２４Ｂの一端が接続されている。そして、各接地コンデンサ２３Ａ、２４Ｂの他端とアース２２間には、耐圧付加コンデンサ４６が介挿されている。
【００７４】
このように構成された第４実施形態のノイズフィルタ３２ｃにおいても、第１、第２のコモンモードチョークコイル３４、３５のＲ相の接続点４３ａ、第２のコモンモードチョークコイル３５の負荷側端子３７bbは、それぞれ接地コンデンサ２３Ａ、２４Ｂ、耐圧付加コンデンサ４６を介してアース２２に接続されているので、図４に示す第２実施形態のノイズフィルタ３２ａとほぼ同様の効果を奏する。
【００７５】
この場合、図６に示す第４実施形態のノイズフィルタ３２ｃにおいては、接地コンデンサ２３Ａ、２４Ｂは耐電圧の安全規格を満たすので、耐圧付加コンデンサ４６は、安全規格を満たす必要はない。さらに、一つの耐圧付加コンデンサ４６を接地コンデンサ２３Ａ、２４Ｂの下側端子とアース２２間に介挿している。
【００７６】
これは、安全規格を満たす接地コンデンサ２３Ａ、２４Ｂを別々のコンデンサを介してアース２２に独立に接続すると、この別々のコンデンサを耐電圧が等しいコンデンサにする必要があるので、結果的に安全規格を満たす交換高価な接地コンデンサを採用する必要があるからである。
【００７７】
しかし、図６に示す第４実施形態のノイズフィルタ３２ｃにおいては、一つの耐圧付加コンデンサ４６のみを採用しているので、耐圧付加コンデンサ４６と、安全規格を満たす接地コンデンサ２３Ａ、２４Ｂとの接続点電位は１つであるので、耐圧付加コンデンサ４６の容量を、前述した、接地コンデンサ２３ａ、２３ｂ、２４ａ、２４ｂの２倍以上の任意の値でよい。
【００７８】
したがって、耐圧付加コンデンサ４６として、安全規格を満たす交換高価な接地コンデンサを採用する必要がないので、たとえ、通常の２００ｖの定格電圧の２倍の定格電圧４００Ｖの単相交流電源１ａに対するノイズフィルタ３２ｃにおいても、通常の定格電圧２００Ｖの単相交流電源１に対するノイズフィルタの構成部品を採用して、製造費の大幅上昇を抑制できる。
【００７９】
（第５実施形態）
図７は本発明の第５実施形態に係わるノイズフィルタの概略構成を示す回路図である。図６に示す第４実施形態のノイズフィルタ３２ｃと同一部分には同一符号を付して重複する部分の詳細説明を省略する。
【００８０】
この第５実施形態に係わるノイズフィルタ３２ｄには、定格電圧４００Ｖの単相交流電源１ａから４００Ｖの単相交流が入力される。したがって、図６の第４実施形態と同様に、第１のコモンモードチョークコイル３４の電源側端子３６aa、３６bb間には、前述した定格電圧２００Ｖに対して耐電圧、耐電流の安全規格を満足する仕様を有した２個の相間コンデンサ２０が直列介挿されている。
【００８１】
同様に、第２のコモンモードチョークコイル３５の負荷側端子３７aa、３７bb間には、前述した定格電圧２００Ｖに対して耐電圧、耐電流の安全規格を満足する仕様を有した２個の相間コンデンサ２１が直列介挿されている。
【００８２】
さらに、第１、第２のコモンモードチョークコイル３４、３５のＲ相の接続点４３ａには、相間コンデンサ２０の倍の容量を有した相間コンデンサ２０Ａの一端が接続され、第２のコモンモードチョークコイル３５のＳ相の負荷側端子３７bbには、相間コンデンサ２１の倍の容量を有した相間コンデンサ２１Ｂの一端が接続されている。そして、各相間コンデンサ２０Ａ、２１Ｂの他端とアース２２間には、接地コンデンサ２３ａの容量の２倍の容量を有した接地コンデンサ２３Ｃが接続されている。
【００８３】
このように構成された第５実施形態に係わるノイズフィルタｄにおいても、Ｒ相の接続点４３ａとアース２２間、Ｓ相の負荷側端子３７bbとアース２２間に、接地コンデンサ２３Ｃを含むコンデンサの直列回路が介挿されているので、先に説明した図６に示す第４実施形態のノイズフィルタ３２ｃとほぼ同一の作用効果を奏することが可能である。
【００８４】
なお、各相間コンデンサ２０Ａ、２１Ｂの他端とアース２２間に、接地コンデンサ２３Ｃに代えて、相間コンデンサ２０、２１の倍の容量を有した相間コンデンサ２１Ｃを接続することも可能である。
【００８５】
（第６実施形態）
図８は本発明の第６実施形態に係わるノイズフィルタが組込まれた電力供給システムの模式図であり、図９は同第６実施形態のノイズフィルタの概略構成を示す回路図である。図１３の電力供給システムの全体構成図、図４の第２実施形態のノイズフィルタ３２ａと同一部分には同一符号を付して重複する部分の詳細説明を省略する。
【００８６】
図８において、相間の定格電圧２００Ｖの単相交流電源１から出力された交流は、電力変換装置３内で、コンバータ６で一旦直流に変換され、平滑コンデンサ７でリップル成分が除去された後に、本発明の第６実施形態に係わるノイズフィルタ３２ｅへ入力される。ノイズフィルタ３２ｅを通過した直流はインバータ８で交流に変換されて電力変換装置３外の負荷２に供給される。そして、インバータ８と負荷２からなる負荷側装置３０ａで発生して、平滑コンデンサ７とコンバータ６とからなる直流電源４７側方向へ伝搬するＥＭＩノイズは、ノイズフィルタ３２ｅにて抑制される。
【００８７】
この第６実施形態のノイズフィルタ３２ｅにおいては、図９に示すように、第１のコモンモードチョークコイル３４の電源側端子３６aa、３６bb間に平滑コンデンサ７とコンバータ６とからなる直流電源４７が接続されている。第２のコモンモードチョークコイル３５の負荷側端子３７aa、３７bb間にはインバータ８と負荷２からなる負荷側装置３０ａが接続されている。
【００８８】
さらに、この第６実施形態のノイズフィルタ３２ｅにおいては、図１０に示すように、第１のコモンモードチョークコイル３４の第１の磁性体コア３８の突起部４０ａ、４０ｂと、第２のコモンモードチョークコイル３５の第２の磁性体コア３９の突起部４１ａ、４ｂとの空隙４２に、矩形板の中央部分を除去した枠形状の例えば永久磁石等からなる強磁性体４８が介挿されている。
【００８９】
その他の構成は、図４に示した第２実施形態のノイズフィルタ３２ａと同じである。
【００９０】
このような構成の第６実施形態のノイズフィルタ３２ｅにおいては、平滑コンデンサ７とコンバータ６とからなる直流電源４７から、直流がノイズフィルタ３２ｅの第１、第２のコモンモードチョークコイル３４、３５に印加されるので、Ｒ相巻線３６ａ、３７ａ、Ｓ相巻線３６ｂ、３７ｂには、図１２（ｂ）、（ｃ）に示すように定常的な直流電流Ｉdcが流れる。
【００９１】
この定常的な直流電流Ｉdcは、強磁性体４８が存在しない場合、図１２（ｂ）に示す、第１、第２の磁性体コア３８、３９に跨って形成された同一相の２つの巻線で形成された磁気回路４５の磁束φｎ４５のノーマルモードノードに対する高インピーダンスを得るための磁気回路４５の磁束φnを一定方向へ移動（零点移動）させる直流磁束φdcを生起する。
【００９２】
したがって、図１１の第１、第２の磁性体コア３８、３９の磁化特性に示すように、第１、第２の磁性体コア３８、３９が磁気飽和を生じて、磁束φnが直ぐに、飽和磁束（飽和磁界Ｈmax）に達して、ノーマルモードノイズに対する十分高いインピーダンスを得ることができない。
【００９３】
そこで、この第６実施形態のノイズフィルタ３２ｅにおいては、第１の磁性体コア３８と第２の磁性体コア３９との空隙４３に例えば磁石等の強磁性体４８を介挿することによって、直流電源４７から供給される直流に起因する直流磁束φdcの方向に対して逆方向の直流磁界（直流磁束）［―φdc］を印加して、磁気回路４５の磁束φnが飽和することを抑制している。
【００９４】
したがって、この第６実施形態のノイズフィルタ３２ｅにおいては、負荷側装置３０ａで発生して、直流電源４７側方向へ伝搬するＥＭＩノイズのコモンモードノイズ、及びノーマルモードノイズを十分抑制することができる。
【図面の簡単な説明】
【００９５】
【図１】本発明の第１実施形態に係わるノイズフィルタの概略構成を示す回路図
【図２】同実施形態のノイズフィルタに組込まれた第１、第２のコモンモードチョークコイルの構成を説明するための組立斜視図
【図３】同実施形態のノイズフィルタに組込まれた第１、第２のコモンモードチョークコイルの各巻線の配置及び巻回方向を示す図
【図４】本発明の第２実施形態に係わるノイズフィルタの概略構成を示す回路図
【図５】本発明の第３実施形態に係わるノイズフィルタの概略構成を示す回路図
【図６】本発明の第４実施形態に係わるノイズフィルタの概略構成を示す回路図
【図７】本発明の第５実施形態に係わるノイズフィルタの概略構成を示す回路図
【図８】本発明の第６実施形態に係わるノイズフィルタが組込まれた電力供給システムを示す模式図
【図９】同実施形態のノイズフィルタの概略構成を示す回路図
【図１０】同実施形態のノイズフィルタが組込まれた第１、第２のコモンモードチョークコイルの構成を説明するための組立斜視図
【図１１】同実施形態のノイズフィルタの効果を説明するための各磁性体コアの磁化特性を示す図
【図１２】同実施形態のノイズフィルタに組込まれた第１、第２のコモンモードチョークコイルの各巻線の配置及び巻回方向を示す図
【図１３】従来のノイズフィルタが組込まれた電力供給システムを示す模式図
【図１４】同従来のノイズフィルタの概略構成を示す回路図
【図１５】同従来のノイズフィルタに組込まれた各コモンモードチョークコイルの構成図
【符号の説明】
【００９６】
１…単相交流電源、２…負荷、３…電力変換装置、６…コンバータ、８…インバータ、２０，２１…相間コンデンサ、２２…アース、２３ａ，２３Ａ，２３ｂ，２３Ｂ，２３Ｃ，２４ａ，２４Ａ，２４ｂ，２４Ｂ…接地コンデンサ、３０，３０ａ…負荷側装置、３２，３２ａ，３２ｂ，３２ｃ．３２ｄ，３２ｅ…ノイズフィルタ、３４…第１のコモンモードチョークコイル、３５…第２のコモンモードチョークコイル、３６ａ，３７ａ…Ｒ相巻線、３６ｂ，３７ｂ…Ｓ相巻線、３８…第１の磁性体コア、３９…第２の磁性体コア、４０ａ，４０ｂ，４１ａ，４１ｂ…突起部、４２…空隙、４３ａ，４３ｂ…接続点、４４，４５…磁気回路、４６…耐圧付加コンデンサ、４７…直流電源、４８…強磁性体
【図１】
2007235580.tif 000003
【図２】
2007235580.tif 000004
【図３】
2007235580.tif 000005
【図４】
2007235580.tif 000006
【図５】
2007235580.tif 000007
【図６】
2007235580.tif 000008
【図７】
2007235580.tif 000009
【図８】
2007235580.tif 000010
【図９】
2007235580.tif 000011
【図１０】
2007235580.tif 000012
【図１１】
2007235580.tif 000013
【図１２】
2007235580.tif 000014
【図１３】
2007235580.tif 000015
【図１４】
2007235580.tif 000016
【図１５】
2007235580.tif 000017